(57)【要約】【課題】  移動通信システムの基地局と、移動局と、この移動局とブルートゥース通信で接続された端末装置とを有する通信システムにあって、端末装置に電話帳メモリを備えなくても、着信時の発呼先氏名などの発信者情報を表示することができる通信システムを提供する。【解決手段】  移動局２は、着信信号Ｓ２を受信すると、当該着信信号から発信番号を検索し、電話帳検索を行い、発信番号に対応する電話帳情報を検索する。そして、移動局２は、ＨＦＰ手順により呼出しＳ４を端末装置３へ送信し、端末装置３は、ＨＦＰ手順により呼出しＳ４を受信する。次に、移動局２と端末装置３は、ＯＰＰセッションの確立Ｓ６を行い、移動局２は、ＯＰＰ手順により、先に検索した発信番号に対応する電話帳情報１件分Ｓ７を端末装置３へ送信する。端末装置３は、電話帳情報１件分Ｓ７をＯＰＰ手順により受信し、電話帳情報に含まれる電話番号と氏名を表示する（Ｓ８）。【選択図】  図４
2005210181.tif 000002
【特許請求の範囲】
【請求項１】
移動通信システムの基地局と無線通信で接続された移動局と、この移動局と近距離無線通信で接続された端末装置とを有する通信システムであって、
前記移動局は、
電話番号とこの電話番号に対応する氏名などの電話帳情報を記憶する電話帳記憶手段と、
前記基地局から送信される当該移動局への着信信号を受信する受信手段と、
前記着信信号を受信時に、この着信信号に含まれる発信元の発信番号を検出すると共に、
前記発信番号に対応する前記電話帳情報を検索する電話帳検索手段と、
前記着信信号受信時に、呼出し信号および前記発信番号に対応する前記電話帳情報を前記端末装置に送信する近距離送信手段とを具備し、
前記端末装置は、
前記移動局から送信された前記呼出し信号および前記発信番号に対応する前記電話帳情報を受信する近距離受信手段と、
前記発信番号に対応する前記電話帳情報を表示する表示手段とを
具備することを特徴とする通信システム。
【請求項２】
移動通信システムの基地局と無線通信で接続された移動局と、この移動局と近距離無線通信で接続された端末装置とを有する通信システムの移動局であって、
電話番号とこの電話番号に対応する氏名などの電話帳情報を記憶する電話帳記憶手段と、
前記基地局から送信される当該移動局への着信信号を受信する受信手段と、
前記着信信号を受信時に、この着信信号に含まれる発信元の発信番号を検出すると共に、
前記発信番号に対応する前記電話帳情報を検索する電話帳検索手段と、
前記着信信号受信時に、呼出し信号および前記発信番号に対応する前記電話帳情報を前記端末装置に送信する近距離送信手段とを
具備することを特徴とする通信システムの移動局。
【請求項３】
移動通信システムの基地局と無線通信で接続された移動局と、この移動局と近距離無線通信で接続された端末装置とを有する通信システムの端末装置であって、
前記移動局から送信された前記呼出し信号および前記発信番号に対応する前記電話帳情報を受信する近距離受信手段と、
前記発信番号に対応する前記電話帳情報を表示する表示手段とを
具備することを特徴とする通信システムの端末装置。
【請求項４】
移動通信システムの基地局と無線通信で接続される移動局と、この移動局と近距離無線通信で接続される端末装置とを有する通信システムの制御方法であって、
前記移動局は、
電話番号とこの電話番号に対応する氏名などの電話帳情報を電話帳記憶手段に記憶し、
前記基地局から送信される当該移動局への着信信号の有無をチェックし、
前記着信信号を受信時に、この着信信号に含まれる発信元の発信番号を検出し、
前記発信番号に対応する前記電話帳情報を前記電話帳記憶手段から検索し、
前記着信信号受信時に、呼出し信号および前記発信番号に対応する前記電話帳情報を前記端末装置に送信し、
前記端末装置は、
前記移動局から送信された前記呼出し信号および前記発信番号に対応する前記電話帳情報を受信し、
前記発信番号に対応する前記電話帳情報を表示する
ことを特徴とする通信システムの制御方法。
【請求項５】
移動通信システムの基地局と無線通信で接続された移動局と、この移動局と近距離無線通信で接続された端末装置とを有する通信システムの移動局の制御方法であって、
電話番号とこの電話番号に対応する氏名などの電話帳情報を電話帳記憶手段に記憶し、
前記基地局から送信される当該移動局への着信信号の有無をチェックし、
前記着信信号を受信時に、この着信信号に含まれる発信元の発信番号を検出し、
前記発信番号に対応する前記電話帳情報を前記電話帳記憶手段から検索し、
前記着信信号受信時に、呼出し信号および前記発信番号に対応する前記電話帳情報を前記端末装置に送信する
ことを特徴とする通信システムの移動局の制御方法。
【請求項６】
移動通信システムの基地局と無線通信で接続された移動局と、この移動局と近距離無線通信で接続された端末装置とを有する通信システムの端末装置の制御方法であって、
前記移動局から送信された前記呼出し信号および前記発信番号に対応する前記電話帳情報を受信し、
前記発信番号に対応する前記電話帳情報を表示する
ことを特徴とする通信システムの端末装置の制御方法。
【請求項７】
前記移動局の近距離送信手段は、前記呼出し信号をハンズフリープロファイル手順で前記端末装置に送信し、前記発信番号に対応する前記電話帳情報をオブジェクトプッシュプロファイル手順で前記端末装置に送信し、
前記端末装置の前記近距離受信手段は、前記移動局から送信された前記呼出し信号をハンズフリープロファイル手順で受信し、前記移動局から送信された前記発信番号に対応する前記電話帳情報をオブジェクトプッシュプロファイル手順で受信する
ことを特徴とする請求項１に記載の通信システム。
【請求項８】
前記移動局の近距離送信手段は、前記呼出し信号をハンズフリープロファイル手順で前記端末装置に送信し、前記発信番号に対応する前記電話帳情報をオブジェクトプッシュプロファイル手順で前記端末装置に送信する
ことを特徴とする請求項２に記載の通信システムの移動局。
【請求項９】
前記端末装置の前記近距離受信手段は、前記移動局から送信された前記呼出し信号をハンズフリープロファイル手順で受信し、前記移動局から送信された前記発信番号に対応する前記電話帳情報をオブジェクトプッシュプロファイル手順で受信する
ことを特徴とする請求項３に記載の通信システムの端末装置。
【請求項１０】
前記移動局は、
前記着信信号受信時に、前記呼出し信号をハンズフリープロファイル手順で前記端末装置に送信し、前記発信番号に対応する前記電話帳情報をオブジェクトプッシュプロファイル手順で前記端末装置に送信し、
前記端末装置は、
前記移動局から送信された前記呼出し信号をハンズフリープロファイル手順で受信し、前記移動局から送信された前記発信番号に対応する前記電話帳情報をオブジェクトプッシュプロファイル手順で受信する
ことを特徴とする請求項４に記載の通信システムの制御方法。
【請求項１１】
前記着信信号受信時に、前記呼出し信号をハンズフリープロファイル手順で前記端末装置に送信し、前記発信番号に対応する前記電話帳情報をオブジェクトプッシュプロファイル手順で前記端末装置に送信する
ことを特徴とする請求項５に記載の通信システムの移動局の制御方法。
【請求項１２】
前記移動局から送信された前記呼出し信号をハンズフリープロファイル手順で受信し、前記移動局から送信された前記発信番号に対応する前記電話帳情報をオブジェクトプッシュプロファイル手順で受信する
ことを特徴とする請求項６に記載の通信システムの端末装置の制御方法。
【発明の詳細な説明】
【技術分野】
【０００１】
本発明は、移動通信システムの基地局と、同システムの移動局と、この移動局と近距離無線通信で接続された端末装置とを有する通信システムに関するもので、特に、電話着信時の発信者情報の制御と表示に関する。
【背景技術】
【０００２】
移動通信システムの携帯電話と、この携帯電話とブルートゥース通信（ＴＭ）で無線接続された端末装置とを有する通信システムにおいて、携帯電話に着信があった時に、端末装置に着信表示を行うシステムがある（例えば、特許文献１参照。）。
【０００３】
この特許文献１の通信システムにあっては、端末装置は、複数の発呼先氏名と電話番号とで構成されるメモリダイアル情報を格納するデータメモリを備える。そして、携帯電話に着信があった時に、その通知を受けた端末装置は、着信番号を表示する。また、この着信番号とデータメモリの電話番号とを照合して、一致する発呼先氏名があれば、これを表示する。
【０００４】
また、携帯電話は、複数の発呼先氏名と電話番号とで構成されるメモリダイアル情報を格納するデータメモリを備える。そして、携帯電話は、このデータメモリのすべての情報を端末装置に送信する。
【特許文献１】特開２００２−１２５０３９号公報（第８、９、１２、１３頁、図１０、図１１、図２１）
【発明の開示】
【発明が解決しようとする課題】
【０００５】
従来の特許文献１に開示されたシステムでは、端末装置は、複数の発呼先氏名と電話番号とで構成されるメモリダイアル情報を格納するデータメモリ（電話帳メモリ）を備える必要があり、メモリ容量が増大し、コスト増加や装置体積が増大するという問題があった。
【０００６】
本発明は、上記の問題点を解決するためになされたもので、端末装置に電話帳メモリを備えなくても、着信時の発呼先氏名などの発信者情報を表示することができる通信システム、同システムの移動局および端末装置、同システムの制御方法を提供することを目的とする。
【課題を解決するための手段】
【０００７】
上記目的を達成するために、本発明の通信システムは、移動通信システムの基地局と無線通信で接続された移動局と、この移動局と近距離無線通信で接続された端末装置とを有する通信システムであって、前記移動局は、電話番号とこの電話番号に対応する氏名などの電話帳情報を記憶する電話帳記憶手段と、前記基地局から送信される当該移動局への着信信号を受信する受信手段と、前記着信信号を受信時に、この着信信号に含まれる発信元の発信番号を検出すると共に、前記発信番号に対応する前記電話帳情報を検索する電話帳検索手段と、前記着信信号受信時に、呼出し信号および前記発信番号に対応する前記電話帳情報を前記端末装置に送信する近距離送信手段とを具備し、前記端末装置は、前記移動局から送信された前記呼出し信号および前記発信番号に対応する前記電話帳情報を受信する近距離受信手段と、前記発信番号に対応する前記電話帳情報を表示する表示手段とを具備することを特徴とする。
【発明の効果】
【０００８】
本発明によれば、端末装置に電話帳メモリを備えなくても、携帯電話に着信があった時に、発呼先氏名などの発信者情報を端末装置に表示することが可能となる。
【発明を実施するための最良の形態】
【０００９】
以下、本発明の実施例を、図面を参照して説明する。
【実施例】
【００１０】
図１〜図５は、本発明を通信システムに適用した実施例を示し、図１は通信システムの構成図、図２は移動局の構成を示すブロック図、図３は端末装置の構成を示すブロック図である。図４は移動体通信システムにおける着信時のシーケンスを示す図、図５は移動局および端末装置の動作を示すフローチャートである。
【００１１】
図１は、本発明を移動体通信システムに適用した場合の構成図を示している。図１において、移動体通信システムは、基地局１と、この基地局１と移動体通信により無線接続される移動局２と、この移動局２と近距離通信により無線接続される端末装置３などによって構成される。
【００１２】
この端末装置３は、ハンズフリー音声通話ができる端末装置であり、例えば、ハンズフリー機能付きのパソコンや、ハンズフリー機能付きのカーナビゲーション装置である。そして、端末装置３は移動局２を経由して、基地局１と音声通信を行う。
【００１３】
また、移動局２および端末装置３は、相互間で近距離通信であるブルートゥース（ＴＭ）通信を行うために、ハンズフリー音声通信サービス用のＨＦＰ（Ｈａｎｄｓ  Ｆｒｅｅ  Ｐｒｏｆｉｌｅ）プロファイルとデータ通信サービス用のＯＰＰ（Ｏｂｊｅｃｔ  Ｐｕｓｈ  Ｐｒｏｆｉｌｅ）プロファイルを備えている。
【００１４】
図２は、各移動体通信システムの移動局２の構成を示すブロック図である。移動局２の主要部は、マイク１１、スピーカ１２、キー入力部１３、ＬＣＤ１４、マイク１１とスピーカ１２が接続される音声コーデック１５、アンテナ１６、このアンテナ１６と接続される通信部１７、ブルートゥース通信部１８、キー入力部１３とＬＣＤ１４と音声コーデック１５と通信部１７とブルートゥース通信部１８と電話帳メモリ１９とが接続される制御部２０などにより構成されている。
【００１５】
次に、移動局２の各部の機能について説明する。マイク１１およびスピーカ１２は、ユーザー（利用者）の通話のための入出力手段である。また、スピーカ１２は、基地局１からのデータ着信呼出しや音声着信呼出しの呼出し音をユーザーに報知するための出力手段でもある。音声コーデック１５は、マイク１１およびスピーカ１２との間の音声信号の符号化および復号化を行う。
【００１６】
キー入力部１３は、ユーザーの手動操作用の入力手段である。ＬＣＤ１４は、操作用の表示、データ通信のデータ表示等の表示手段である。
【００１７】
アンテナ１６は、基地局１との間で移動体通信の電波の送信受信を行う。通信部１７は、アンテナ１６によって送信受信される上記信号の変調および復調処理等を行う。
【００１８】
ブルートゥース通信部１８は、端末装置３との間で短距離無線通信であるブルートゥース通信の電波の送信受信、変調および復調処理等を行う。
【００１９】
電話帳メモリ１９は、移動局２のユーザーが相手先電話番号やその氏名などを登録するためのメモリである。
【００２０】
制御部２０は、ＣＰＵ、Ｉ／Ｏ、メモリ等から構成され、音声コーデック１５との間の音声入出力、キー入力部１３との間のキー入力、ＬＣＤ１４との間の表示出力等のマンマシンインターフェース制御、電話帳メモリ１９の登録制御を行う。
【００２１】
また、制御部２０は、通信部１７を制御して、基地局１との間の移動体通信制御を行う。基地局１からの受信の場合は、基地局１から送信された無線信号はアンテナ１６により受信され、通信部１７に送出される。通信部１７は、受信した無線信号に対して復調処理等を行い、その変換した信号を制御部２０に送出する。基地局２への送信の場合は、制御部２０は、各種信号を通信部１７へ送出する。通信部１７は、この各種信号に対して符号化処理等を行い、その変換した無線信号をアンテナ１６から基地局１へ送信する。
【００２２】
移動局２が基地局１から受信する無線信号として、着信信号、音声通信での音声信号などがある。移動局２が基地局１へ送信する無線信号として、着信信号に対する応答信号などがある。
【００２３】
また、制御部２０は、ブルートゥース通信部１８を制御して、端末装置３との間のブルートゥース通信制御を行う。端末装置３からの受信の場合は、端末装置３から送信された無線信号はブルートゥース通信部１８により受信される。ブルートゥース通信部１８は、復調処理等を行い、その変換した信号を制御部２０に送出する。端末装置への送信の場合は、制御部２０は、各種信号をブルートゥース通信部１８へ送出する。ブルートゥース通信部１８は、この各種信号に対して変調処理等を行い、その変換した無線信号を端末装置３へ送信する。
【００２４】
移動局２が端末装置３から受信する無線信号として、ＨＦＰプロファイルのセッション確立信号、ＯＰＰプロファイルのセッション確立信号、呼出し信号に対する応答信号、オーディオ接続確立信号、音声通信での音声信号などがある。
【００２５】
移動局２が端末装置３へ送信する無線信号として、ＨＦＰプロファイルのセッション確立信号、ＯＰＰプロファイルのセッション確立信号、呼出し信号、電話帳情報、オーディオ接続要求信号、オーディオ接続確立信号、音声通信での音声信号などがある。
【００２６】
図３は、各移動体通信システムの端末装置３の構成を示すブロック図である。端末装置３の主要部は、マイク３１、スピーカ３２、キー入力部３３、ＬＣＤ３４、マイク３１とスピーカ３２とが接続される音声コーデック３５、ブルートゥース通信部３６、キー入力部３３とＬＣＤ３４と音声コーデック３５とブルートゥース通信部３６とが接続される制御部３７などにより構成されている。
【００２７】
次に、端末装置３の各部の機能について説明する。マイク３１およびスピーカ３２は、ユーザーのハンズフリー通話のための入出力手段である。また、スピーカ３２は、移動局２からの呼出し時の呼出し音をユーザーに報知するための出力手段でもある。音声コーデック３５は、マイク３１およびスピーカ３２との間の音声信号の符号化および復号化を行う。
【００２８】
キー入力部３３は、ユーザーの手動操作用の入力手段である。ＬＣＤ３４は、操作用の表示、着信時の表示等の表示手段である。
【００２９】
ブルートゥース通信部３６は、移動局２との間で短距離無線通信であるブルートゥース通信の電波の送信受信、変調および復調処理等を行う。
【００３０】
制御部３７は、ＣＰＵ、Ｉ／Ｏ、メモリ等から構成され、音声コーデック３５との間の音声入出力、キー入力部３３との間のキー入力、ＬＣＤ３４との間の表示出力等のマンマシンインターフェース制御を行う。
【００３１】
また、制御部３７は、ブルートゥース通信部３６を制御して、移動局２との間のブルートゥース通信制御を行う。受信に関しては、移動局２から送信された無線信号はブルートゥース通信部３６により受信される。ブルートゥース通信部３６は、復調処理等を行い、その変換した信号を制御部３７に送出する。送信に関しては、制御部３７は、各種信号をブルートゥース通信部３６へ送出する。ブルートゥース通信部３６は、この各種信号に対して変調処理等を行い、その変換した無線信号を移動局２へ送信する。
【００３２】
端末装置３が移動局２から受信する無線信号として、ＨＦＰプロファイルのセッション確立信号、ＯＰＰプロファイルのセッション確立信号、呼出し信号、電話帳情報、オーディオ接続要求信号、オーディオ接続確立信号、音声通信での音声信号などがある。
【００３３】
端末装置３が移動局２へ送信する無線信号として、ＨＦＰプロファイルのセッション確立信号、ＯＰＰプロファイルのセッション確立信号、呼出し信号に対する応答信号、オーディオ接続確立信号、音声通信での音声信号などがある。
【００３４】
次に、移動体通信システムの詳細動作について、図４と図５の両方を用いて説明する。図４は、図１の移動体通信システムにおける着信時のシーケンスを示す。図５は、図４のシーケンスについて、移動局２および端末装置３の動作を表わしたフローチャートを示す。図５のフローチャートのステップ番号で、図４のシーケンスと同じものについては、同じ番号に移動局２側では文字ａのサフィックスを付け、端末装置３側では文字ｂのサフィックスを付して表わしている。
【００３５】
基地局１と移動局２との間は、移動体通信が行われる。移動局２と端末装置３との間は、ブルートゥース通信が行われ、その通信制御では、ブルートゥース標準規格で定められている制御信号が使用される。
【００３６】
これから説明する通信制御は、移動局２では制御部２０が行い、端末装置３では制御部３７が行う。移動局２の内部動作および端末装置３の内部の動作は、図２および図３を用いて既に説明したので、その説明は省略する。
【００３７】
まず、移動局２と端末装置３は、それぞれがＨＦＰプロファイルを起動して、相互間でＨＦＰのセッション確立を行う（ステップＳ１ａ、ステップＳ１ｂ）。これ以降の、移動局２と端末装置３間のブルートゥース通信は、プロファイルの変更が行われるまで、ＨＦＰプロファイル手順により行われる。
【００３８】
その後、移動局２は、基地局１から送信される着信信号Ｓ２の到来を待つ（ステップＳ２ａ）。端末装置３は、端末装置３から送信される呼出し信号Ｓ４の到来を待つ（ステップＳ４ａ）。
【００３９】
そして、基地局１から着信信号Ｓ２が送信されると、移動局２は、これを検出する（ステップＳ２ａでＹＥＳ）。そして、移動局２は、着信信号Ｓ２に含まれる発信元の発信番号を読み取り、この発信番号が電話帳メモリ１９に登録してあるかを検索し、一致した電話番号と氏名などから成る電話帳１件分の情報を検索する（ステップＳ３ａ）。
【００４０】
そして、移動局２は、呼出し信号Ｓ４をＨＦＰプロファイル手順により端末装置３へ送信する（ステップＳ４ａ）。端末装置３は、これを受信して呼出しがあったことを認識し（ステップＳ４ｂでＹＥＳ）、呼出し音を鳴動する（ステップＳ５ｂ）。
【００４１】
次に、移動局２と端末装置３は、それぞれがＯＰＰプロファイルを起動して、相互間でＯＰＰのセッション確立を行う（ステップＳ６ａ、ステップＳ６ｂ）。これ以降の、移動局２と端末装置３間のブルートゥース通信は、プロファイルの変更が行われるまで、ＯＰＰプロファイル手順により行われる。
【００４２】
そして、移動局２は、ステップＳ３ａで検索した発信元の発信番号に対応する電話帳１件分の情報をＯＰＰプロファイル手順により端末装置３へ送信する（ステップＳ７ａ）。端末装置３は、これを受信する（ステップＳ７ｂ）。移動局２は、その後、ＨＦＰプロファイルを起動して、ＨＦＰのセッション確立動作に入る（ステップＳ１０ａ）。
【００４３】
端末装置３は、受信した電話帳１件分の情報から電話番号と氏名情報などを読み取り、これを表示部に表示する（ステップＳ８ｂ）。これにより、端末装置３は、端末装置３自体に予め電話帳メモリを持たなくても、電話帳情報を表示することができる。
【００４４】
次に、端末装置３は、先の呼出し音の鳴動（ステップＳ５ｂ）と表示（ステップＳ８ｂ）に気が付いたユーザーによる応答操作を待つ（ステップＳ９ｂ）。  
そして、応答操作が有れば（ステップＳ９ｂのＹＥＳ）、ＨＦＰプロファイルを起動して、ＨＦＰのセッション確立動作に入る（ステップＳ１０ｂ）。
【００４５】
移動局２と端末装置３のセッション確立（ステップＳ１０ａとステップＳ１０ｂ）が行われると、これ以降の、移動局２と端末装置３間のブルートゥース通信は、プロファイルの変更が行われるまで、ＨＦＰプロファイル手順により行われる。
【００４６】
次に、端末装置３は、先の呼出し信号Ｓ４に対する応答信号Ｓ１１をＨＦＰプロファイル手順により移動局２へ送信する（ステップＳ１１ｂ）。移動局２は、これを受信する（ステップＳ１１ａ）。
【００４７】
応答信号Ｓ１１を受信した移動局２は、基地局１から送信された着信Ｓ２に対する応答信号Ｓ１２を基地局１へ送信する（ステップＳ１２ａ）。
【００４８】
そして、移動局２は、オーディオ接続要求Ｓ１３をＨＦＰプロファイル手順により端末装置３へ送信する（ステップＳ１３ａ）。端末装置３は、これを受信する（ステップＳ１３ｂ）。そして、移動局２と端末装置３は、ＨＦＰプロファイル手順により相互にオーディオ接続確立を行う（ステップＳ１４ａとステップＳ１４ｂ）。
【００４９】
そして、基地局１、移動局２、端末装置３をスルーした通話確立Ｓ１５が行われ（ステップＳ１５ａとステップＳ１５ｂ）、ユーザーは、端末装置３を使用してハンズフリー通話Ｓ１５を行う。
【００５０】
このように実施例によれば、移動局２から端末装置３への電話帳情報の送信に、ＯＰＰプロファイルを適用することにより、電話帳情報を送信することができる。
【００５１】
また、端末装置３は、端末装置３自体に容量の大きな電話帳メモリを持たなくても、電話帳情報を表示することができ、端末装置３の小型化などを行うことができる。
【図面の簡単な説明】
【００５２】
【図１】本発明の実施例に係る通信システムの構成図。
【図２】本発明の実施例に係る通信システムの移動局のブロック図。
【図３】本発明の実施例に係る通信システムの端末装置のブロック図。
【図４】本発明の実施例に係る通信システムの着信時のシーケンスを示す図。
【図５】本発明の実施例に係る通信システムの着信時の移動局と端末装置の動作を示すフローチャート。
【符号の説明】
【００５３】
１  基地局
２  移動局
３  端末装置
１１  マイク
１２  スピーカ
１３  キー入力部
１４  ＬＣＤ
１５  音声コーデック
１６  アンテナ
１７  通信部
１８  ブルートゥース通信部
１９  電話帳メモリ
２０  制御部
３１  マイク
３２  スピーカ
３３  キー入力部
３４  ＬＣＤ
３５  音声コーデック
３６  ブルートゥース通信部
３７  制御部
【図１】
2005210181.tif 000003
【図２】
2005210181.tif 000004
【図３】
2005210181.tif 000005
【図４】
2005210181.tif 000006
【図５】
2005210181.tif 000007